(57)【要約】【課題】大型化を抑制しつつ、グランドパターンを有する接続部材（ＦＰＣやＦＦＣ）と接続することができると共に、一般的な接続部材（ＦＰＣやＦＦＣ）も接続することができるコネクタを提供すること。【解決手段】グランドパターンと接続するシールド接続部（下側接続部４６及び上側接続部）をコンタクト（第１コンタクト１０及び第２コンタクト２０）の接点部（上側接点部及び下側接点部１２，２２）の前側（−Ｘ側）に位置しており且つそれら接点部の幅方向（Ｙ方向）の外側に位置している。【選択図】図５
2015084275.tif 000002
【特許請求の範囲】
【請求項１】
前後方向において後方に向けて挿入された接続部材を受容可能な受容部を有するコネクタであって、
前記接続部材は、板状又はシート状の形状を有すると共に端子及びグランドパターンを有しており、
前記コネクタは、複数のコンタクトと、前記コンタクトを保持する保持部材と、前記保持部材に取り付けられた導電部材とを備えており、
前記コンタクトは、前記端子と接続する接点部を有しており、
前記導電部材は、前記グランドパターンと接続するシールド接続部を有しており、
前記シールド接続部は、前記前後方向において前記コンタクトの前記接点部の前側に位置しており、且つ、前記前後方向と直交する幅方向において前記接点部の外側に位置している
コネクタ。
【請求項２】
請求項１記載のコネクタであって、
前記コネクタは、導電体からなると共に前記保持部材を少なくとも部分的に覆うシェルを備えており、
前記シェルは、前記導電部材として機能し、
前記シールド接続部は、前記シェルの一部として形成されている
コネクタ。
【請求項３】
請求項２記載のコネクタであって、
前記コネクタは、開状態と閉状態とを取り得るように前記保持部材に支持されたアクチュエータを更に備えており、
前記アクチュエータは、後方に倒されたときに前記閉状態を取ると共に前記コンタクトの前記接点部を前記接続部材の前記端子に接続させる
コネクタ。
【請求項４】
請求項１記載のコネクタであって、
前記コネクタは、開状態と閉状態とを取り得るように前記保持部材に支持されたアクチュエータを更に備えており、
前記アクチュエータは、前記閉状態にあるとき前記コンタクトの前記接点部を前記接続部材の前記端子に接続させるものである
コネクタ。
【請求項５】
請求項３又は請求項４記載のコネクタであって、
前記アクチュエータには、金属からなるシールド部材が埋め込まれている
コネクタ。
【請求項６】
請求項５記載のコネクタであって、
前記アクチュエータが前記閉状態にあるとき、前記シールド部材は前記導電部材に接続される
コネクタ。
【請求項７】
請求項１乃至請求項６のいずれかに記載のコネクタであって、
前記コンタクトは、前記接点部として、前記前後方向及び前記幅方向の双方と直交する上下方向において対向している上側接点部及び下側接点部を有しており、
前記導電部材は、前記シールド接続部として、前記上下方向において対向している上側接続部及び下側接続部を有している
コネクタ。
【請求項８】
請求項７記載のコネクタであって、
前記上側接続部及び前記下側接続部の一方はバネ接点であり他方は突部である
コネクタ。
【請求項９】
請求項１乃至請求項８のいずれかに記載のコネクタであって、
前記保持部材は、前記前後方向と前記幅方向とで規定される面内における前記接続部材の回転移動を防止するための回転防止部を有しており、
前記回転防止部は、前記幅方向において前記コンタクトの前記接点部の外側に位置しており、前記前後方向において前記シールド接続部の後方に位置している
コネクタ。
【請求項１０】
請求項１乃至請求項９のいずれかに記載のコネクタであって、
前記コネクタは、対象物に搭載されるものであり、
前記導電部材は、前記対象物に形成されたグランド部に接続される
コネクタ。
【請求項１１】
請求項１０記載のコネクタであって、
前記導電部材は、前記グランド部に接続されるホールドダウンを有しており、
前記ホールドダウンは、前記幅方向において前記保持部材の外側に位置している
コネクタ。
【請求項１２】
請求項１０又は請求項１１記載のコネクタであって、
複数の前記コンタクトは、前記対象物に固定される固定部を夫々備えており、
前記コンタクトには、前記固定部が前記接点部よりも前方に位置しているコンタクトが少なくとも含まれており、
前記固定部は、前記前後方向及び前記幅方向の双方と直交する上下方向において上方から前記コネクタを見た場合に、視認可能である
コネクタ。
【請求項１３】
信号層と、グランド層と、第１絶縁層と、第２絶縁層と、第３絶縁層とを少なくとも備え、板状又はシート状の形状を有する接続部材であって、
前記第１絶縁層は、前記信号層と前記グランド層とに挟まれており、
前記信号層は、前記第１絶縁層と前記第２絶縁層とに挟まれており、
前記信号層には、端子と、前記端子に接続された信号線とが形成されており、
前記端子は、前記接続部材の長さ方向の端部近傍に位置しており、
前記信号線は、前記接続部材の前記端部から離れるように延びており、
前記グランド層は、前記第１絶縁層と前記第３絶縁層とに挟まれており、
前記グランド層には、グランドパターンが形成されており、
前記グランドパターンは、前記長さ方向において前記端子よりも前記接続部材の端部から離れた位置であって前記長さ方向と直交する幅方向において前記端子よりも外側の位置において、露出している
接続部材。
【発明の詳細な説明】
【技術分野】
【０００１】
本発明は、ＦＰＣ（Flexible Printed Circuit）やＦＦＣ（Flexible Flat Cable）のような板状又はシート状の形状を有する接続部材と接続するコネクタに関する。
【背景技術】
【０００２】
この種のコネクタとしては、特許文献１に開示されたものがある。特許文献１のコネクタは、図１９に示されるように、特殊な形状の板状ケーブル（接続部材）と接続するものである。特許文献１の接続部材は、コネクタのコンタクトと接続する端子と、幅方向の外側に張り出した被係合部とを有している。そのため、特許文献１の接続部材はＴ字状の形状を有している。幅方向において、被係合部は端子の外側に位置している。一方、前後方向において、被係合部と端子とは同一位置にある。特許文献１のコネクタには、被係合部の前側に位置して被係合部の抜け止めを防止する抜け止め防止部が設けられている。
【先行技術文献】
【特許文献】
【０００３】
【特許文献１】特開２０１３−１０１７９８号公報
【発明の概要】
【発明が解決しようとする課題】
【０００４】
特許文献１のコネクタには、上述したようなＴ字状の形状を有する接続部材しか接続できない。即ち、特許文献１のコネクタには、一般的な帯状のＦＰＣのような接続部材を接続することはできない。このように、特許文献１のコネクタは、汎用性が低いという問題を有している。
【０００５】
また、近年では、信号の高速化に対応するため、グランドパターンを有する接続部材もある。グランドパターンと接続する接続部を設けようとすると、特許文献１のコネクタは、構造上、大型化せざるを得ない。
【０００６】
そこで、本発明は、大型化を抑制しつつ、グランドパターンを有する接続部材（ＦＰＣやＦＦＣ）と接続することができると共に、一般的な接続部材（ＦＰＣやＦＦＣ）も接続することができるコネクタを提供することを目的とする。
【課題を解決するための手段】
【０００７】
本発明は、第１のコネクタとして、
前後方向において後方に向けて挿入された接続部材を受容可能な受容部を有するコネクタであって、
前記接続部材は、板状又はシート状の形状を有すると共に端子及びグランドパターンを有しており、
前記コネクタは、複数のコンタクトと、前記コンタクトを保持する保持部材と、前記保持部材に取り付けられた導電部材とを備えており、
前記コンタクトは、前記端子と接続する接点部を有しており、
前記導電部材は、前記グランドパターンと接続するシールド接続部を有しており、
前記シールド接続部は、前記前後方向において前記コンタクトの前記接点部の前側に位置しており、且つ、前記前後方向と直交する幅方向において前記接点部の外側に位置している
コネクタを提供する。
【０００８】
また、本発明は、第２のコネクタとして、第１のコネクタであって、
前記コネクタは、導電体からなると共に前記保持部材を少なくとも部分的に覆うシェルを備えており、
前記シェルは、前記導電部材として機能し、
前記シールド接続部は、前記シェルの一部として形成されている
コネクタを提供する。
【０００９】
また、本発明は、第３のコネクタとして、第２のコネクタであって、
前記コネクタは、開状態と閉状態とを取り得るように前記保持部材に支持されたアクチュエータを更に備えており、
前記アクチュエータは、後方に倒されたときに前記閉状態を取ると共に前記コンタクトの前記接点部を前記接続部材の前記端子に接続させる
コネクタを提供する。
【００１０】
また、本発明は、第４のコネクタとして、第１のコネクタであって、
前記コネクタは、開状態と閉状態とを取り得るように前記保持部材に支持されたアクチュエータを更に備えており、
前記アクチュエータは、前記閉状態にあるとき前記コンタクトの前記接点部を前記接続部材の前記端子に接続させるものである
コネクタを提供する。
【００１１】
また、本発明は、第５のコネクタとして、第３又は第４のコネクタであって、
前記アクチュエータには、金属からなるシールド部材が埋め込まれている
コネクタを提供する。
【００１２】
また、本発明は、第６のコネクタとして、第５のコネクタであって、
前記アクチュエータが前記閉状態にあるとき、前記シールド部材は前記導電部材に接続される
コネクタを提供する。
【００１３】
また、本発明は、第７のコネクタとして、第１乃至第６のいずれかのコネクタであって、
前記コンタクトは、前記接点部として、前記前後方向及び前記幅方向の双方と直交する上下方向において対向している上側接点部及び下側接点部を有しており、
前記導電部材は、前記シールド接続部として、前記上下方向において対向している上側接続部及び下側接続部を有している
コネクタを提供する。
【００１４】
また、本発明は、第８のコネクタとして、第７のコネクタであって、
前記上側接続部及び前記下側接続部の一方はバネ接点であり他方は突部である
コネクタを提供する。
【００１５】
また、本発明は、第９のコネクタとして、第１乃至第８のいずれかのコネクタであって、
前記保持部材は、前記前後方向と前記幅方向とで規定される面内における前記接続部材の回転移動を防止するための回転防止部を有しており、
前記回転防止部は、前記幅方向において前記コンタクトの前記接点部の外側に位置しており、前記前後方向において前記シールド接続部の後方に位置している
コネクタを提供する。
【００１６】
また、本発明は、第１０のコネクタとして、第１乃至第９のいずれかのコネクタであって、
前記コネクタは、対象物に搭載されるものであり、
前記導電部材は、前記対象物に形成されたグランド部に接続される
コネクタを提供する。
【００１７】
また、本発明は、第１１のコネクタとして、第１０のコネクタであって、
前記導電部材は、前記グランド部に接続されるホールドダウンを有しており、
前記ホールドダウンは、前記幅方向において前記保持部材の外側に位置している
コネクタを提供する。
【００１８】
また、本発明は、第１２のコネクタとして、第１０又は第１１のコネクタであって、
複数の前記コンタクトは、前記対象物に固定される固定部を夫々備えており、
前記コンタクトには、前記固定部が前記接点部よりも前方に位置しているコンタクトが少なくとも含まれており、
前記固定部は、前記前後方向及び前記幅方向の双方と直交する上下方向において上方から前記コネクタを見た場合に、視認可能である
コネクタを提供する。
【００１９】
また、本発明は、第１乃至第１２のコネクタと接続可能な接続部材として、
信号層と、グランド層と、第１絶縁層と、第２絶縁層と、第３絶縁層とを少なくとも備え、板状又はシート状の形状を有する接続部材であって、
前記第１絶縁層は、前記信号層と前記グランド層とに挟まれており、
前記信号層は、前記第１絶縁層と前記第２絶縁層とに挟まれており、
前記信号層には、端子と、前記端子に接続された信号線とが形成されており、
前記端子は、前記接続部材の長さ方向の端部近傍に位置しており、
前記信号線は、前記接続部材の前記端部から離れるように延びており、
前記グランド層は、前記第１絶縁層と前記第３絶縁層とに挟まれており、
前記グランド層には、グランドパターンが形成されており、
前記グランドパターンは、前記長さ方向において前記端子よりも前記接続部材の端部から離れた位置であって前記長さ方向と直交する幅方向において前記端子よりも外側の位置において、露出している
接続部材を提供する。
【発明の効果】
【００２０】
接続部材のグランドパターンと接続するシールド接続部の位置をコンタクトの接点部の前側で且つ接点部の幅方向外側にしたことから、コネクタを大型化することなく、コネクタに対してシールド接続部を設けることができる。
【００２１】
また、シールド接続部は、幅方向において、一般的な帯状のＦＰＣ等の接続部材の外側に位置することになり、コネクタと一般的な形状の接続部材との接続の邪魔とならない。
【図面の簡単な説明】
【００２２】
【図１】本発明の実施の形態によるコネクタを示す正面斜視図である。コネクタに含まれたアクチュエータは開状態にある。
【図２】図１のコネクタを示す背面斜視図である。
【図３】図１のコネクタを示す他の正面斜視図である。図示されたアクチュエータは閉状態にある。
【図４】図１のコネクタを示す正面図である。
【図５】図４のコネクタをＶ--Ｖ線に沿って示す断面図である。
【図６】図４のコネクタをVI--VI線に沿って示す断面図である。
【図７】図４のコネクタをVII-VII線に沿って示す断面図である。
【図８】図３のコネクタの一部をVIII--VIIに沿って示す断面図である。
【図９】図２のコネクタの一部を示す背面斜視図である。
【図１０】図３のコネクタの一部を示す背面斜視図である。
【図１１】図３のコネクタの一部をXI--XI線に沿って示す断面図である。
【図１２】図１のコネクタに含まれるシェルを示す正面斜視図である。
【図１３】図１２のシェルの一部を示す拡大図である。
【図１４】図１のコネクタに接続するＦＰＣ（接続部材）を示す上面図である。
【図１５】図１４のＦＰＣを示す底面図である。
【図１６】図１４のＦＰＣをXVI--XVI線に沿って示す断面図である。
【図１７】図１４のＦＰＣを図５のコネクタに接続した状態を示す断面図である。
【図１８】一般的なＦＰＣを図５のコネクタに接続した状態を示す断面図である。
【図１９】特許文献１のコネクタを示す斜視図である。
【発明を実施するための形態】
【００２３】
図１乃至図７を参照すると、本発明の実施の形態によるコネクタ１は、前端２において開口している受容部６を有している。受容部６は、前後方向（Ｘ方向）において後端４に向けて（後方即ち＋Ｘ方向に向けて）挿入されたＦＰＣ（接続部材：後述）の先端を受容することができる。コネクタ１は、導電体からなる第１コンタクト（コンタクト）１０と、導電体からなる第２コンタクト（コンタクト）２０と、絶縁体からなる保持部材３０と、導電体からなるシェル（導電部材）４０と、絶縁体からなるアクチュエータ５０と、導電体からなるシールド部材６０とを備えている。
【００２４】
詳しくは、図１７に示されるように、本実施の形態によるコネクタ１には、特殊なＦＰＣ（接続部材）８０が接続可能であり、また、図１８に示されるように、コネクタ１には、通常の帯状の形状を有するＦＰＣ８０Ａも接続可能である。なお、通常のＦＰＣ８０Ａは、グランドパターンを有していてもよいし、有していなくてもよい。
【００２５】
図１４乃至図１６を参照すると、本実施の形態の特殊なＦＰＣ８０は、信号層９０と、グランド層９２と、第１絶縁層９４と、第２絶縁層９５と、第３絶縁層９６とを備えている。第１絶縁層９４は、信号層９０とグランド層９２とに挟まれている。信号層９０は、第１絶縁層９４と第２絶縁層９５とに挟まれている。グランド層９２は、第１絶縁層９４と第３絶縁層９６とに挟まれている。信号層９０には、複数の端子８３と、端子８３にそれぞれ対応する複数の信号線８４とが形成されている。端子８３は、信号線８４よりも端部８２に近い位置に位置している。信号線８４は、対応する端子８３から延びている。グランド層９２は、一様な導電膜からなるグランドパターン８６にて構成されている。グランドパターン８６の一部は、後述するように露出部８８として露出している。
【００２６】
図１４に示されるように、ＦＰＣ８０の端部８２には端子露出領域８５が設けられており、端子８３はその端子露出領域８５に配置されている。本実施の形態において、端子８３は、第１コンタクト１０に対応するものと第２コンタクト２０に対応するものとの２つのグループに分けられている。第１コンタクト１０に対応する端子８３と第２コンタクト２０に対応する端子８３とは、ＦＰＣ８０の幅方向（Ｙ方向）及び長さ方向（Ｘ方向）において交互に並べられている。
【００２７】
図１４及び図１５に示されるように、ＦＰＣ８０は、ＦＰＣ８０の長さ方向において端部８２から離れた位置に張出部８７を有している。図１４から理解されるように、張出部８７は、端子露出領域８５と比較して端部８２から離れて位置している。また、張出部８７は、ＦＰＣ８０の幅方向において、外側に向かって張り出している。そのため、ＦＰＣ８０は、張出部８７を含む部位において、端子露出領域８５よりも幅広となっている。
【００２８】
図１５に示されるように、張出部８７の先端には露出部８８が形成されている。本実施の形態において、露出部８８の形成されている面は、端子露出領域８５の形成されている面の裏面である。但し、本発明はこれに限定されるわけではなく、端子露出領域８５が形成されている面と同じ面に露出部８８が形成されていてもよい。グランドパターン８６は、露出部８８において露出している。張出部８７と端子露出領域８５との関係から明らかなように、露出部８８は、ＦＰＣ８０の長さ方向において端子８３よりもＦＰＣ８０の端部８２から離れて位置しており、且つ、ＦＰＣ８０の幅方向において端子８３よりも外側に位置している。
【００２９】
図６及び図７から理解されるように、保持部材３０は、第１コンタクト１０と第２コンタクト２０を保持している。図７に示されるように、第１コンタクト１０は、上側接点部（接点部）１１と、下側接点部（接点部）１２と、固定部１３とを有している。上側接点部１１と下側接点部１２とは、受容部６内に位置しており、上下方向（Ｚ方向）において対向している。第１コンタクト１０の固定部１３は、コネクタ１の後端４側に位置している。図６に示されるように、第２コンタクト２０は、上側接点部（接点部）２１と、下側接点部（接点部）２２と、固定部２３とを有している。上側接点部２１と下側接点部２２とは、受容部６内に位置しており、上下方向（Ｚ方向）において対向している。第２コンタクト２０の固定部２３は、コネクタ１の前端２側に位置している。即ち、固定部１３が後端４よりに位置しているコンタクトが第１コンタクト１０であり、固定部２３が前端２よりに位置しているコンタクトが第２コンタクト２０である。換言すると、固定部１３が上側接点部１１や下側接点部１２よりも後方に位置しているコンタクトが第１コンタクト１０であり、固定部２３が上側接点部２１や下側接点部２２よりも前方に位置しているコンタクトが第２コンタクト２０である。図１４を併せて参照して、端子８３が上側になるように受容部６にＦＰＣ８０を挿入した場合、端子８３と接続されるのは上側接点部１１，２１であり、逆に、端子８３が下側になるように受容部６にＦＰＣ８０を挿入した場合、端子８３と接続されるのは下側接点部１２，２２である。このように、本実施の形態においては、ＦＰＣ８０をコネクタ１に対して逆差ししても接続可能である。
【００３０】
図５に示されるように、保持部材３０には、回転防止部３２が設けられている。回転防止部３２は、受容部６の側壁を構成している。具体的には、幅方向において、第１コンタクト１０や第２コンタクト２０の上側接点部１１，２１や下側接点部１２，２２の外側に位置している。特に、本実施の形態においては、幅方向において、回転防止部３２間の距離は、ＦＰＣ８０の端子露出領域８５のサイズ（幅）よりも僅かに大きい程度である。図５及び図１７から理解されるように、ＦＰＣ８０が受容部６に受容されるとＦＰＣ８０の水平面（ＸＹ平面）内における移動が前後方向のみに実質的に規制され、水平面内においてＦＰＣ８０が回転してしまうことを避けることができる。
【００３１】
図１２及び図１３に示されるように、シェル４０は、主板部４１と、２つの側部４２と、２つのシェル接続部４３と、４つのホールドダウン４４と、２組の上側接続部（シールド接続部）４５及び下側接続部（シールド接続部）４６とを有している。
【００３２】
主板部４１は、保持部材３０の殆どを覆っている。図１、図２及び図５から理解されるように、第１コンタクト１０の固定部１３は、主板部４１の後方（＋Ｘ側）に位置しており、第２コンタクト２０の固定部２３は、主板部４１の前方（−Ｘ側）に位置している。第２コンタクト２０の固定部２３は、ＦＰＣ８０をコネクタ１に接続していない状態において、上方（＋Ｚ側）から視認可能である。そのため、コネクタ１を対象物（図示せず）に搭載固定した際に、固定部２３の対象物に対する接続状態を容易に確認することができる。
【００３３】
側部４２は、幅方向において主板部４１の両側に位置している。図９から理解されるように、シェル接続部４３は、夫々、側部４２から下方向（−Ｚ方向）に向かって延びている。シェル接続部４３は、主板部４１よりも後側（＋Ｘ側）に位置している。
【００３４】
図１及び図１２に示されるように、ホールドダウン４４は、側部４２と連続するように設けられており、幅方向において、保持部材３０の外側に位置している。このホールドダウン４４は、コネクタ１を回路基板等の対象物（図示せず）に搭載した際に、対象物に形成されたグランド部（図示せず）に接続される。換言すると、シェル（導電部材）４０は、コネクタ１を対象物（図示せず）に搭載した際に、対象物に形成されたグランド部（図示せず）に接続される。
【００３５】
上側接続部４５及び下側接続部４６は、側部４２と連続するように設けられている。各組の上側接続部４５と下側接続部４６は、上下方向において対向している。上側接続部４５及び下側接続部４６は、主板部４１よりも前側（−Ｘ側）に位置している。図５から理解されるように、上側接続部４５及び下側接続部４６は、第１コンタクト１０及び第２コンタクト２０の上側接点部１１，２１や下側接点部１２，２２の前側に位置しており、且つ、幅方向において上側接点部１１，２１や下側接点部１２，２２の外側に位置している。更に、上側接続部４５及び下側接続部４６は、回転防止部３２よりも前方に位置している。換言すると、回転防止部３２は、上側接続部４５及び下側接続部４６よりも後方に位置している。図８及び図１３から理解されるように、上側接続部４５はバネ接点であり、下側接続部４６はダボ（突部）である。
【００３６】
図５、図１５及び図１７から理解されるように、ＦＰＣ８０を受容部６に挿入すると、上側接続部４５と下側接続部４６の一方がグランドパターン８６の露出部８８と接続する。詳しくは、露出部８８が下側になるように受容部６にＦＰＣ８０を挿入した場合、露出部８８と接続されるのは下側接続部４６であり、露出部８８が上側になるように受容部６にＦＰＣ８０を挿入した場合、露出部８８と接続されるのは上側接続部４５である。いずれの場合も、上側接続部４５のバネ力を利用して十分な接続を得ることができる。
【００３７】
図１乃至図３から理解されるように、アクチュエータ５０は、開状態と閉状態とを取り得るように保持部材３０に支持されている。図６及び図７に示されるように、アクチュエータ５０にはカム５１が設けられている。アクチュエータ５０が開状態にあるとき、カム５１は第１コンタクト１０及び第２コンタクト２０にさほど力を加えない。そのため、コネクタ１の受容部６にＦＰＣ８０の端部８２を容易に受容させることができる。これに対して、アクチュエータ５０が閉状態にあるとき、カム５１が第１コンタクト１０及び第２コンタクト２０に力を加えて上側接点部１１，２１と下側接点部１２，２２との間の距離を狭くしようとする。そのため、受容部６にＦＰＣ８０の端部８２が受容されている場合には、上側接点部１１，２１又は下側接点部１２，２２がＦＰＣ８０の端子８３に押し付けられ、それらの間の接続が確保される。特に、本実施の形態によるコネクタ１は、バックフリップ型であり、図１乃至図３から理解されるように、アクチュエータ５０を後方に倒すことによりアクチュエータ５０を閉状態とすることができるものである。
【００３８】
図６、図７及び図１１に示されるように、シールド部材６０は、アクチュエータ５０に埋め込まれている。図示されたシールド部材６０は、細長い金属板からなるものであり、アクチュエータ５０が閉状態にあるとき、第１コンタクト１０の固定部１３の上方（＋Ｚ側）に位置している。また、図９乃至図１１から理解されるように、アクチュエータ５０が閉状態にあるとき、シールド部材６０は、シェル４０のシェル接続部４３に接続されている。換言すると、アクチュエータ５０が閉状態にあるとき、シールド部材６０は、シェル４０を介してコネクタ１が搭載された対象物（図示せず）のグランド部に接続される。これにより、第１コンタクト１０の固定部１３はシールド部材６０により電磁的に保護される。
【００３９】
上述したような構造を備えるコネクタ１の受容部６に対してＦＰＣ８０の端部８２を挿入すると、下側接続部４６又は上側接続部４５がＦＰＣ８０の露出部８８に対して接続される。これによって、グランドパターン８６がシェル４０を介して対象物（図示せず）のグランド部に接続され、高いシールド特性を得ることができる。更に、アクチュエータ５０を後方に倒して閉状態とすると、第１コンタクト１０及び第２コンタクト２０の上側接点部１１，２１又は下側接点部１２，２２がＦＰＣ８０の端子８３に接続される。このように、本実施の形態のコネクタ１は、グランドパターン８６を有するＦＰＣ８０と接続することができ、信号の高速化にも適切に対応することができる。
【００４０】
図１８から理解されるように、上側接続部４５及び下側接続部４６は、一般的なＦＰＣ８０Ａの幅方向の外側に位置していることから、一般的なＦＰＣ８０Ａとコネクタ１の接続を阻害しない。即ち、本実施の形態によるコネクタ１は、帯状の一般的なＦＰＣ８０Ａも接続可能である。
【００４１】
加えて、上側接続部４５及び下側接続部４６は、上側接点部１１，２１や下側接点部１２，２２の幅方向の外側であって上側接点部１１，２１や下側接点部１２，２２の後方に位置していることから、コネクタ１を特に大型化することなく、コネクタ１に対して上側接続部４５及び下側接続部４６を設けることができる。
【００４２】
更に、上側接続部４５及び下側接続部４６を上述した位置に配置したことから、シェル４０が第２コンタクト２０の固定部２３の上方を横切る必要がなく、そのため、コネクタ１を上方から見た場合に、第２コンタクト２０の固定部２３を視認することができる。即ち、固定部２３を回路基板等の対象物（図示せず）に半田付けにより接続した際に、半田付けの良否を確認することができる。
【００４３】
以上、実施の形態によるコネクタ１を例として詳細に説明してきたが、本発明はこれに限定されるものではなく、様々な変形・応用が可能である。
【００４４】
例えば、上述した実施の形態において、コネクタ１に接続される接続部材はＦＰＣ８０であったが、板状又はシート状の接続部材であれば、ＦＰＣ８０でなくてもよい。例えば、接続部材は、ＦＦＣであってもよい。
【００４５】
また、上述したコネクタ１は、アクチュエータ５０を備えるものであったが、本発明はアクチュエータを有さないタイプのコネクタに対しても適用可能である。
【００４６】
更に、上述したコネクタ１は、アクチュエータ５０を後方に倒して閉状態とするバックフリップ型のものであったが、本発明はフロントフリップ型のものにも適用可能である。但し、バックフリップ型のコネクタ１の方がシェル４０の主板部４１によって保持部材３０の殆どを覆う構成を採用することができることから、高いシールド特性を求められる場合には、コネクタはバックフリップ型であることが好ましい。
【００４７】
上述したシェル４０は保持部材３０の殆どを覆っていたが、求められるシールド特性によっては、主板部４１が省略されたような構造を有するホールドダウン部材（側部４２やホールドダウン４４等を備える部材）を保持部材３０の両端に取り付けることとしてもよい。その場合、上側接続部４５及び下側接続部４６はホールドダウン部材に設けられる。
【００４８】
上述したコネクタ１は、第１コンタクト１０及び第２コンタクト２０の２種類のコンタクトを備えていたが、第１コンタクト１０又は第２コンタクト２０の一方のみを備えることとしてもよい。但し、狭ピッチ化に対応するためには、コネクタ１は第１コンタクト１０及び第２コンタクト２０の２種類のコンタクトを備えていることが好ましい。
【００４９】
上述したコネクタ１は、シールド部材６０を備えていたが、コネクタ１が第１コンタクト１０を有していない場合や要求されるシールド特性を考慮して許容される場合には、シールド部材６０を省略することとしてもよい。
【００５０】
上述したコネクタ１は、ＦＰＣ８０の逆差しを可能とするため、上側接点部１１，２１及び下側接点部１２，２２と上側接続部４５及び下側接続部４６とを備えていたが、ＦＰＣ８０の逆差しの必要がないのであれば、上側接点部１１，２１及び下側接点部１２，２２のいずれか一方の接点部と、上側接続部４５及び下側接続部４６のいずれか一方のシールド接続部のみをコネクタ１に設けることとすることができる。
【００５１】
上述した実施の形態において、上側接続部４５をバネ接点とし、下側接続部４６をダボ（突部）としていたが、上側接続部４５をダボ（突部）とし、下側接続部４６をバネ接点としてもよいし、両方をバネ接点としてもよい。
【００５２】
加えて、コネクタ１に対するＦＰＣ８０の逆差しを可能としない場合には、上側接続部４５及び下側接続部４６のうちの露出部８８に接続させる一方をバネ接点とし、他方を平坦にすることとしてもよい。
【００５３】
上述した回転防止部３２は、保持部材３０の一部として形成されていたが、保持部材３０の一部に代えて他の部材によって回転防止部３２を構成してもよい。また、他の手段によりＦＰＣ８０の動きを規制できるのであれば、回転防止部３２を省略することとしてもよい。
【００５４】
上述したＦＰＣ８０は、図１６に示されるように、信号層９０を１層のみ備えるものであったが、例えば、ＦＰＣに対して信号層を２層設けることとしてもよい。
【００５５】
上述したＦＰＣ８０において、露出部８８は端子８３の形成された面の裏面に形成されていたが、露出部８８の形成された面を端子８３の形成された面と同じ面にしてもよい。
【符号の説明】
【００５６】
１        コネクタ
２        前端
４        後端
６        受容部
１０        第１コンタクト（コンタクト）
２０        第２コンタクト（コンタクト）
１１，２１        上側接点部（接点部）
１２，２２        下側接点部（接点部）
１３，２３        固定部
３０        保持部材
３２        回転防止部
４０        シェル（導電部材）
４１        主板部
４２        側部
４３        シェル接続部
４４        ホールドダウン
４５        上側接続部（シールド接続部）
４６        下側接続部（シールド接続部）
５０        アクチュエータ
５１        カム
６０        シールド部材
８０，８０Ａ        ＦＰＣ（接続部材）
８２        端部
８３        端子
８４        信号線
８５        端子露出領域
８６        グランドパターン
８７        張出部
８８        露出部
９０        信号層
９２        グランド層
９４        第１絶縁層
９５        第２絶縁層
９６        第３絶縁層
【図１】
2015084275.tif 000003
【図２】
2015084275.tif 000004
【図３】
2015084275.tif 000005
【図４】
2015084275.tif 000006
【図５】
2015084275.tif 000007
【図６】
2015084275.tif 000008
【図７】
2015084275.tif 000009
【図８】
2015084275.tif 000010
【図９】
2015084275.tif 000011
【図１０】
2015084275.tif 000012
【図１１】
2015084275.tif 000013
【図１２】
2015084275.tif 000014
【図１３】
2015084275.tif 000015
【図１４】
2015084275.tif 000016
【図１５】
2015084275.tif 000017
【図１６】
2015084275.tif 000018
【図１７】
2015084275.tif 000019
【図１８】
2015084275.tif 000020
【図１９】
2015084275.tif 000021